(57)【要約】【課題】ホログラム反射模様光を利用して、周囲に彩色鮮やかでオーロラのような幻想的な雰囲気をかもし出す照明灯のフレームカバーを提供すること。【解決手段】照明灯を囲うための、斜めの開口部１２を有する有底１０ｂの中空体１０で少なくもその開口部１２と対向した周壁内面にホログラム反射面が構成され（１４）、照明灯の照射により反射したホログラム模様光が開口部１２より観賞されるようにする。又は内孔を介して照明灯２０又は２２が保持される脚１６ｆ付きの台座１６に、斜めの開口部１２を有する底無しの中空体で少なくもその開口部１２と対向した周壁内面にホログラム反射面が構成されたフレームカバー本体が装着され、照明灯の照射により反射したホログラム模様光が開口部１２より観賞されるようにする。【選択図】図１
2006190527.tif 000002
【特許請求の範囲】
【請求項１】
照明灯を囲うための、斜めの開口部を有する有底中空体で少なくもその開口部と対向した周壁内面にホログラム反射面が構成され、照明灯の照射により反射したホログラム模様光が開口部より観賞されるようにしたことを特徴とする、照明灯のフレームカバー。
【請求項２】
内孔を介してローソク又は小型電球などが保持される脚付きの台座に、斜めの開口部を有する底無しの中空体で少なくもその開口部と対向した周壁内面にホログラム反射面が構成されたフレームカバー本体が装着され、照明灯の照射により反射したホログラム模様光が開口部より観賞されるようにしたことを特徴とする、照明灯のフレームカバー。
【発明の詳細な説明】
【技術分野】
【０００１】
本発明は、主に卓上、例えばホテル、レストラン、家庭などの食卓上、ベッド近くの卓上或いは壁上に適用されるホログラム照明に関し、詳しくはホログラム模様面の反射光を観賞するようにした照明灯のフレームカバーに関する。
【背景技術】
【０００２】
従来例として、ローソク、電灯、蛍光灯など照明灯とこれを保持して囲う外装カバー（フレームカバー)とからなる照明器具が知られ、明かりはこのような照明灯の固有照明光のみに依存していた。従って、他の色彩、例えばほんのりした緑のただよう雰囲気をかもしだすためには、例えば葬儀式場に見られるように、外装カバーに適当な素材を選んで彩色したカラーデザインを施している。
【０００３】
ローソクを囲うフレームカバーにおいてその周側面の少なくとも１つの内面を鏡面にしてローソク光を反射させて観賞するようにした照明器具が知られている（例えば、特許文献１参照。）
ホログラムを利用したもので、照明器具ではなく、観賞用水槽が知られている（例えば、特許文献２参照）。これは、水槽容器と、この水槽容器内に配された光を拡散するホログラムとこのホログラムの両面側に積層されてホログラムを保護する透明板とからなるスクリーンと、水槽容器の近傍に備えられていてホログラムに向けて光を照射する光源とからなっている。
【０００４】
【特許文献１】米国特許第５，２６２，９２９号（図１）
【特許文献２】特開平８−２６６１８６号公報（図１）
【発明の開示】
【発明が解決しようとする課題】
【０００５】
本発明の課題は、ホログラム反射模様光を利用して、周囲に彩色鮮やかでオーロラのような幻想的な雰囲気をかもし出す照明灯のフレームカバーを提供することである。
【課題を解決するための手段】
【０００６】
前記した課題は、照明灯を囲うための、斜めの開口部を有する有底中空体で少なくもその開口部と対向した周壁内面にホログラム反射面が構成され、照明灯の照射により反射したホログラム模様光が開口部より観賞されるようにしたことで、解決される。
【０００７】
同様の課題は、内孔を介してローソク又は小型電球などが保持される脚付きの台座に、斜めの開口部を有する底無しの中空体で少なくもその開口部と対向した周壁内面にホログラム反射面が構成されたフレームカバー本体が装着され、照明灯の照射により反射したホログラム模様光が開口部より観賞されるようにしたことで、解決される。
【発明の効果】
【０００８】
本発明によれば、ローソクに火をつけたとき又は小型電球など照明灯を点灯したとき、その光がフレームカバーの周壁内面に構成されたホログラム反射面に照射して、その反射模様光が対向側の開口部を介して赤、緑などの雲のように発散ただよわしているように観賞され、少し暗がりの場所などで使用すれば、周囲により鮮明で彩色豊かにオーロラのように幻想的な雰囲気ないし癒しでもって気分を和らげる。
【発明を実施するための最良の形態】
【０００９】
ほぼ中央に照明灯、例えばローソク又は小型電球などが内孔を介して保持される脚付きの台座に、斜めの開口部を有する底無しの中空体で少なくもその開口部と対向した周壁内面にホログラム反射面が構成されたフレームカバー本体が装着され、照明灯の照射により反射したホログラム模様光が開口部より観賞されるようにする。
【実施例】
【００１０】
本発明の好適な実施例は図面に基づいて説明される。
照明灯のフレームカバーとして透明ガラス容器１０が図１に示されている。その中空体内部の底面１０ｂ上にローソク又は小型電球などがホルダーを介して配置されるが、省略して図示されていない。このフレームカバー１０は斜めの開口部１２を有し、少なくもその開口部１２と対向した周壁内面にホログラム反射面が構成されるために、その外表面一部１４にホログラムフィルムが貼り着されている。光源としては、他にオイルも使用可能であり、このような照明灯の照射により反射したホログラム模様光が開口部１２より観賞されるようにする。
【００１１】
開口部１２と対向する周壁内面に直接ホログラムフィルムを貼り着してホログラム反射面を構成する場合には、フレームカバー本体は透明でなくてもよい。ホログラムフィルムは広義に解釈され、ホログラムホイル及びホログラムシート、また模様を施されたものも含む。さらに可能ならば蒸着によりホログラム反射面を構成してもよい。ホログラム反射面をフレームカバー周壁内面全面に構成してもよい。開口部１２が大きければ、それだけ大きくホログラム模様光が観賞される。フレームカバーは図２に示すようなものであってもよく、これらに限らない。照明灯を用いるため、フレームカバー本体はガラス、硬質プラスチック、金属など耐熱性、難燃性の材質が好ましい。
【００１２】
本発明によれば、底無しの中空体で斜めの開口部を有し少なくもその開口部と対向した周壁内面にホログラム反射面が構成されたフレームカバー本体が使用でき、図１、図２に例示するもので底が無いものが想定される。この場合、照明灯を保持するものとして、別体の台座が使用され、図３に例示されている。
【００１３】
台座１６は、脚１６ｆ付きで底上げしており、中央に内孔１６ｂを有し、この内孔を利用してローソク又は小型電球などが保持される。ローソク２０の場合には、底が内孔１６ｂに嵌るベースホルダー２０ｂの上に配置される。小型電球２２の場合には、翼状弾発羽根２２ｗが付いたソケット２２ｓが使用され、内孔１６ｂにその羽根２２ｗが係着して保持される。底無しのフレームカバー本体についてはこのようにした台座１６の円形枠内に装着される。
【００１４】
なお、このような台座は小型電球を保持するものとしてはすでに市販されており公知であるが、ローソクを保持して利用する例は知られていない。照明灯として不規則にゆらめく点で興趣のある反射模様光を観賞できるローソクが好ましく使われるが、この場合には不測の事故により火災の恐れがあるため、「その場を離れないよう」商品に注意書きを付するよう義務付けられる。その場を離れてまた戻るその都度、ローソクを消したり点灯するのも面倒である。このような場合には小型電球を使った方が安心である。いずれにしろローソクか小型電球か選択して使えるような台座が提案される。なお、請求項１の実施例においてその底が上記した台座を構成して一体となったものも含む。
【図面の簡単な説明】
【００１５】
【図１】１実施例を示した斜視図。
【図２】他のフレームカバー本体を示した例示図。
【図３】本発明で使われる台座の例示説明図。
【符号の説明】
【００１６】
１０  フレームカバー          １０ｂ  内部底面
１２  斜めの開口部            １４    ホログラムフィルム貼り着部
１６  台座                    １６ｂ  内孔          １６ｆ  脚
２０  ローソク                ２０ｂ  ホルダー
２２  小型電球                ２２ｓ  ソケット      ２２ｗ  弾発羽根
【図１】
2006190527.tif 000003
【図２】
2006190527.tif 000004
【図３】
2006190527.tif 000005